(57)【特許請求の範囲】
【請求項１】
長手方向に延在し、外部から入射した光を導光して側面から線状の光として出射する棒状の導光体と、前記導光体の端面が挿入された孔部を有する導光体ホルダ部と、前記導光体ホルダ部を前記長手方向に沿って摺動可能に支持する支持部と、前記導光体、前記導光体ホルダ部及び前記支持部を支持又は収納し、少なくとも前記支持部が固定された筐体とを備え、
前記導光体ホルダ部は、前記長手方向に沿って少なくとも一方が前記支持部に形成された支持部側溝部又は支持部側突起部である支持部側凹凸部によって、摺動する方向が前記長手方向に規制され、
前記支持部は、前記支持部側凹凸部が対向して二つ形成され、二つの前記支持部側凹凸部の間に、前記導光体ホルダ部が配置され、二つの前記支持部側凹凸部が対向している対向方向と前記長手方向とが交差する仮想面において前記導光体ホルダ部を露出させて、前記導光体ホルダ部を支持し、
前記筐体は、前記仮想面に直交する方向である高さ方向に沿って、窪んだ凹部に、少なくとも前記導光体ホルダ部及び前記支持部を支持又は収納し、
係合部をさらに備え、前記係合部は、前記高さ方向に沿って形成され、前記導光体ホルダ部が配置された側と反対側において前記支持部から張り出し、前記凹部と接触している、
照明装置。
【請求項２】
前記導光体ホルダ部は、前記支持部側凹凸部と対応する形状の導光体ホルダ部側凹凸部が前記長手方向に沿って形成されている、
請求項１に記載の照明装置。
【請求項３】
長手方向に延在し、端面から入射した光を導光して側面から線状の光として出射する棒状の導光体と、前記導光体の前記端面が挿入された孔部を有し、前記導光体の前記端面が挿入された面と反対面に、前記孔部と光学的に連通した開口部を有する導光体挿入部、及び、前記反対面の側に配置され、前記孔部から光を出射させる光源が形成された光源基板を有する導光体ホルダ部と、前記導光体ホルダ部を前記長手方向に沿って摺動可能に支持する支持部と、前記導光体、前記導光体ホルダ部及び前記支持部を支持又は収納し、少なくとも前記支持部が固定された筐体とを備え、
前記導光体ホルダ部は、前記長手方向に沿って少なくとも一方が前記支持部に形成された支持部側溝部又は支持部側突起部である支持部側凹凸部によって、摺動する方向が前記長手方向に規制され、
前記支持部は、前記支持部側凹凸部が対向して二つ形成され、二つの前記支持部側凹凸部の間に、前記導光体ホルダ部が配置され、二つの前記支持部側凹凸部が対向している対向方向と前記長手方向とが交差する仮想面において前記導光体ホルダ部を露出させて、前記導光体ホルダ部を支持し、
前記筐体は、前記仮想面に直交する方向である高さ方向に沿って、窪んだ凹部に、少なくとも前記導光体ホルダ部及び前記支持部を支持又は収納し、
係合部をさらに備え、前記係合部は、前記高さ方向に沿って形成され、前記導光体ホルダ部が配置された側と反対側において前記支持部から張り出し、前記凹部と接触している、
照明装置。
【請求項４】
前記導光体ホルダ部は、前記支持部側凹凸部と対応する形状の導光体ホルダ部側凹凸部が前記長手方向に沿って形成されている、
請求項３に記載の照明装置。
【請求項５】
前記導光体ホルダ部側凹凸部は、前記導光体挿入部又は前記光源基板の少なくとも一方に形成されている、
請求項４に記載の照明装置。
【請求項６】
長手方向に延在し、端面から入射した光を導光して側面から線状の光として出射する棒状の導光体と、前記導光体の前記端面が挿入された孔部を有し、前記導光体の前記端面が挿入された面と反対面に、前記孔部と光学的に連通した開口部を有する導光体挿入部、及び、前記反対面の側に配置され、前記孔部から光を出射させる光源が形成された光源基板を有する導光体ホルダ部と、前記導光体ホルダ部を前記長手方向に沿って摺動可能に支持する支持部と、前記導光体、前記導光体ホルダ部及び前記支持部を支持又は収納し、少なくとも前記支持部が固定された筐体とを備え、
前記導光体ホルダ部は、前記長手方向に沿って少なくとも一方が前記支持部に形成された支持部側溝部又は支持部側突起部である支持部側凹凸部によって、摺動する方向が前記長手方向に規制され、
前記導光体ホルダ部は、前記支持部側凹凸部と対応する形状の導光体ホルダ部側凹凸部が前記長手方向に沿って形成され、前記導光体ホルダ部側凹凸部は、前記導光体挿入部に形成されている、
照明装置。
【請求項７】
前記支持部は、前記支持部側凹凸部が対向して二つ形成され、二つの前記支持部側凹凸部の間に、前記導光体ホルダ部が配置され、二つの前記支持部側凹凸部が対向している対向方向と前記長手方向とが交差する仮想面において前記導光体ホルダ部を露出させて、前記導光体ホルダ部を支持し、
前記筐体は、前記仮想面に直交する方向である高さ方向に沿って、窪んだ凹部に、少なくとも前記導光体ホルダ部及び前記支持部を支持又は収納し、
係合部をさらに備え、前記係合部は、前記高さ方向に沿って形成され、前記導光体ホルダ部が配置された側と反対側において前記支持部から張り出し、前記凹部と接触している、
請求項６に記載の照明装置。
【請求項８】
前記導光体ホルダ部側凹凸部は、導光体ホルダ部側溝部又は導光体ホルダ部側突起部の少なくとも一方である、
請求項２、請求項４から請求項７のいずれか１項に記載の照明装置。
【請求項９】
前記支持部側凹凸部又は前記導光体ホルダ部側凹凸部の少なくとも一方は、前記筐体と接触している、
請求項２、請求項４から請求項８のいずれか１項に記載の照明装置。
【請求項１０】
弾性体をさらに備え、前記弾性体は、前記長手方向において前記導光体ホルダ部と前記支持部との間に配置され、前記長手方向における前記導光体ホルダ部の摺動範囲を規制する、
請求項１から請求項９のいずれか１項に記載の照明装置。
【請求項１１】
請求項１から請求項１０のいずれか１項に記載の照明装置と、前記導光体の側面から出射した前記線状の光のうち、読取対象物を介した光を収束するレンズ体と、前記レンズ体が収束した光を受光するセンサ素子が形成されたセンサ基板とを備える、
画像読取装置。
【請求項１２】
前記筐体は、前記レンズ体及び前記センサ基板を保持する、
請求項１１に記載の画像読取装置。
【請求項１３】
前記センサ基板は、前記読取対象物に対して、前記導光体と反対側に配置される、
請求項１１又は請求項１２に記載の画像読取装置。
【発明の詳細な説明】
【技術分野】
【０００１】
本開示は、導光体を備えた照明装置及び画像読取装置に関するものである。
【背景技術】
【０００２】
導光体は、棒状の透明体で形成されるもので、照明装置（ライン光源装置）に使用するものである。導光体を有する照明装置（ライン光源装置）は、ファクシミリ、コピー機、スキャナ、紙幣判別器などの画像読取装置の照明用途に好適である。画像読取装置には、筐体の内部に照明装置（ライン光源装置）を備えたものや、照明装置（ライン光源装置）と画像読取装置のレンズ体との間に読取対象を配置するものがある。また、導光体を有する照明装置（ライン光源装置）は、例えばＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）などの光源を備え、この光源から発した光が、導光体の端面（光入射面）から入射した光が導光されて導光体の側面である光出射面から、線状の光を出射するものである。【０００３】
画像読取装置の照明用途の従来の照明装置には、天板としてカバーガラスを備えたものがある（例えば、特許文献１及び２参照）。このようなカバーガラスは、画像読取装置の天板と共通の場合が多い。また、カバーガラスによって導光体ホルダの位置を規制している照明装置（画像読取装置）がある。さらに、熱などによって導光体が、膨張や収縮することの影響を低減するための機構を備えた照明装置（画像読取装置）がある（例えば、特許文献２及び３参照）。【０００４】
照明装置（画像読取装置）では、カバーガラスが必要でない場合もある。例えば、読取対象が照明装置（画像読取装置）と接触する位置から離れた位置で搬送される場合や、照明装置（画像読取装置）が組み込まれる装置側にカバーガラスがある場合などである。
【先行技術文献】
【特許文献】
【０００５】
【特許文献１】特開２０１４−６９７９号公報（特に、図９及び図１０参照）
【特許文献２】特開２０１０−２８３４３６号公報（特に、図１Ａ参照）
【特許文献３】特開２０１１−６１４１１号公報（特に、図３参照）
【発明の概要】
【発明が解決しようとする課題】
【０００６】
しかしながら、従来の照明装置（画像読取装置）では、照明装置（画像読取装置）のカバーガラスの有無に関わらず、導光体ホルダの支持を確実にできるようにするという思想はないという課題があった。【０００７】
本開示は、上記のような課題を解決するためになされたものであり、簡便な構造で導光体ホルダの支持ができる照明装置及び画像読取装置を得ることを目的とする。
【課題を解決するための手段】
【０００８】
本開示に係る照明装置及び画像読取装置は、長手方向に延在し、外部から入射した光を導光して側面から線状の光として出射する棒状の導光体と、前記導光体の端面が挿入された孔部を有する導光体ホルダ部と、前記導光体ホルダ部を前記長手方向に沿って摺動可能に支持する支持部と、前記導光体、前記導光体ホルダ部及び前記支持部を支持又は収納し、少なくとも前記支持部が固定された筐体とを備え、前記導光体ホルダ部は、前記長手方向に沿って少なくとも一方が前記支持部に形成された支持部側溝部又は支持部側突起部である支持部側凹凸部によって、摺動する方向が前記長手方向に規制されることを特徴とするものである。
【発明の効果】
【０００９】
本開示によれば、導光体ホルダ及び光源基板を有する導光体ホルダ部の摺動方向を規制して支持することができる照明装置及び画像読取装置を得ることができる。
【図面の簡単な説明】
【００１０】
【図１】実施の形態１に係る照明装置及び画像読取装置の断面図である。
【図２】実施の形態１に係る画像読取装置の斜視図及び一部拡大図である。
【図３】実施の形態１に係る画像読取装置の支持部、導光体ホルダ部及び導光体の分解斜視図である。
【図４】実施の形態１に係る画像読取装置の組み立て過程図（レンズ体を筐体に挿入する工程）である。
【図５】実施の形態１に係る画像読取装置の組み立て過程図（支持部、導光体ホルダ部及び光源基板）である。
【図６】実施の形態１に係る画像読取装置の組み立て過程図（支持部、導光体ホルダ部、光源基板及び導光体）である。
【図７】実施の形態１に係る画像読取装置の組み立て過程図（支持部、導光体ホルダ部、光源基板及び導光体を筐体に挿入する工程）である。
【図８】実施の形態１に係る画像読取装置の組み立て過程図（センサ基板を筐体に取り付ける工程）である。
【図９】実施の形態１及び２に係る照明装置及び画像読取装置の支持部及び導光体ホルダ部の断面簡略図である。
【発明を実施するための形態】
【００１１】
実施の形態１．
以下、実施の形態１に係る照明装置及び画像読取装置について、図１から図８を用いて説明する。図１（Ａ）は照明装置の断面図である。図１（Ｂ）は画像読取装置の断面図である。図２の二点鎖線で囲われた部分Ａは、後述の支持部８に移動方向を規制された導光体ホルダ部３の周辺を拡大したものである。図２の二点鎖線で囲われた部分Ｂは、後述の支持部８が無い方の導光体ホルダ部３の周辺を拡大したものである。図２から図８では、画像読取装置を代表として示し、照明装置の図示は省略する。図中、同一符号は、同一又は相当部分を示しそれらについての詳細な説明は省略する。実施の形態１に係る照明装置における長手方向及び短手方向は、それぞれ実施の形態１に係る画像読取装置における主走査方向及び副走査方向に相当する。照射対象物１（読取対象物１）は、相対的に短手方向（副走査方向）に搬送されるものであるため、短手方向及び副走査方向は、搬送方向とも呼ばれる。
【００１２】
照射対象物１（読取対象物１）は、実施の形態１に係る照明装置から出射する光（線状の光）の照射対象である。さらに読取対象物１（照射対象物１）は、実施の形態１に係る画像読取装置の画像情報の読取対象であるといえる。照明装置（画像読取装置）において、長手方向（主走査方向）及び短手方向（副走査方向）は交差しており、好ましくは直交している。長手方向（主走査方向）及び短手方向（副走査方向）にそれぞれ交差した方向が、照明装置及び画像読取装置の高さ方向である。高さ方向は、好適には、長手方向（主走査方向）及び短手方向（副走査方向）と直交している。後述するレンズ体１０の光軸に沿った光軸方向が高さ方向に相当する。レンズ体１０がミラーで光軸を折り返すような場合の光軸方向（高さ方向）は、照射対象物１（読取対象物１）からの光を最初に反射するミラーまでの光軸となる。本願では、結像光学系が正立等倍光学系、かつ、ミラーで光軸を折り返す構成を有していないものを例示して説明する。図中では、長手方向（主走査方向）をＸ軸方向、短手方向（副走査方向）をＹ軸方向、高さ方向（光軸方向）をＺ軸方向と表示する。図中では、Ｘ軸、Ｙ軸、Ｚ軸の三軸はそれぞれ直交している場合の照明装置（画像読取装置）を示している。
【００１３】
図１から図８において、導光体２は、樹脂などで形成される棒状の透明体である。導光体２は、長手方向（主走査方向）に延在し、端面２ａから入射した光を導光して側面２ｂから線状の光を出射するものである。導光体２には、側面２ｂと対向する部分に光散乱パターン２ｃが形成されている。図１（Ａ）では導光体２が一本の場合、図１（Ｂ）では導光体２が二本の場合を図示しているが、導光体２の本数はこれらに限らない。導光体２は、一本以上あればよい。導光体ホルダ部３は、好適には導光体挿入部４（導光体ホルダ４）及び光源基板５を有する。
【００１４】
図１から図８において、導光体挿入部４（導光体ホルダ４）は、導光体２の端面が挿入された孔部４ａを有する。また、導光体挿入部４（導光体ホルダ４）は、導光体２の端面が挿入された面と反対面に、孔部４ａと光学的に連通した開口部４ｂを有する。孔部４ａ及び開口部４ｂは、導光体２の本数に合わせて形成すればよい。導光体ホルダ部３に光源基板５が形成されている場合は、導光体挿入部４における、導光体２の端面が挿入された面と反対面の側に配置され、孔部３ａから光を出射させる光源が光源基板５に形成されている。
【００１５】
光源基板５に形成された光源は、ＬＥＤや有機ＥＬなどの素子が好適である。例えば、光源は、照射対象物１（読取対象物１）の画像情報に応じて、赤色光（Ｒ）、緑色光（Ｇ）、青色光（Ｂ）、白色光（Ｈ）、紫外光（ＵＶ）、赤外光（ＩＲ）などを発光するものが用いられる。光源は、開口部３ｂから導光体挿入部４の内部に入っていてもよいし、そうでなくてもよい。つまり、光源から出射された光が導光体挿入部４の内部を介して、導光体２の端面２ａへ入射されるような配置であればよい。光源は、後述するセンサ基板１１と、給電線路５ａ（ケーブル５ａ）により接続されている。給電線路５ａは、フレキシブル基板５ａが好適である。センサ基板１１は、光源（光源基板５）へ電源を供給し、光源の点灯制御を行う機能もあることから、光源制御基板１１ともいえる。本願に係る照明装置では、光源制御基板１１を外部に設けてもよい。また、光源基板５に光源制御基板１１の機能を持たせてもよい。
【００１６】
図１から図８において、支持部６は、導光体ホルダ部３を長手方向に沿って摺動可能に支持するものである。支持部６は、短手方向に延びる面の両方の短手方向の端部からそれぞれ長手方向に延びる面を有している。つまり、支持部６の形状は、長手方向と短手方向とが交差する断面が、角ばったＣ字状の断面となっている。筐体７は、導光体２、導光体ホルダ部３及び支持部６を支持又は収納し、少なくとも支持部６が固定されたものである。詳しくは、導光体ホルダ部３は、長手方向に沿って少なくとも一方が支持部６に形成された支持部側溝部８ａ又は支持部側突起部８ｂである支持部側凹凸部８によって、摺動する方向が前記長手方向に規制されている。さらに、導光体ホルダ部３は、支持部側凹凸部８と対応する形状の導光体ホルダ部側凹凸部９が長手方向に沿って形成されている。導光体ホルダ部側凹凸部９は、導光体挿入部４（導光体ホルダ４）又は光源基板５の少なくとも一方に形成されている。本願では導光体ホルダ部側凹凸部９は、導光体挿入部４（導光体ホルダ４）のみに形成されている場合を例示している。
【００１７】
図１（Ｂ）、図２から図８において、レンズ体１０は、導光体２の側面から出射した線状の光のうち、読取対象物１を介した光を収束するものであり、本願では、レンズ体１０がロッドレンズを主走査方向（長手方向）にアレイ状に配列されたロッドレンズアレイ１０の場合を例示している。なお、読取対象物１を介した光を収束するとは、読取対象物１で反射した光を収束する、又は、読取対象物１を透過した光を収束する、の少なくとも一方を指す。レンズ体１０はロッドレンズアレイ１０と同様の正立等倍光学系のマイクロレンズアレイでもよいし、縮小光学系のレンズでもよい。また、ミラーなどの光路を折り返す光学素子を含めたもの全体をレンズ体１０と称してもよい。
【００１８】
図１（Ｂ）、図２から図８において、センサ基板１１は、レンズ体１０が収束した光を受光するセンサ素子１２が形成されている。センサ基板１１は、前述のとおり、光源（光源基板５）へ電源を供給し、光源の点灯制御を行う機能（光源制御基板１１）を有していてもよい。また、センサ基板１１は信号処理基板１１を兼ねていてもよい。センサ基板１１は、センサ素子１２が長手方向に沿ってアレイ状に配列されたものであるがこれに限るものではない。さらに、センサ素子１２が長手方向に沿ってアレイ状に複数列に亘り配列されていてもよいし、複数列に亘り配列されたセンサ素子１２が千鳥配置になっていてもよい。
【００１９】
センサ基板１１には、センサ素子１２（センサ素子アレイ１２）以外にも、外部コネクタや、信号処理基板１１の機能である信号処理ＩＣ（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）などの電子部品が設けられている。信号処理ＩＣは、前述のように、センサ基板１１とは別の基板に設けてもよい。このような信号処理ＩＣ（ＡＳＩＣ）は、ＣＰＵ（Ｃｅｎｔｒａｌ  Ｐｒｏｃｅｓｓｉｎｇ  Ｕｎｉｔ）や、ＲＡＭ（Ｒａｎｄｏｍ  Ａｃｃｅｓｓ  Ｍｅｍｏｒｙ）と連動して、センサ素子１２（センサ素子アレイ１２）により受光した光電変換出力などを信号処理する。ＡＳＩＣのＣＰＵ、ＲＡＭ及び信号処理回路をまとめて信号処理部と呼ぶ。レンズ体１０（ロッドレンズアレイ１０）の光軸がセンサ素子１２（センサ素子アレイ１２）の受光部に一致するように、センサ基板１１が配置される。センサ基板１１に形成された外部コネクタは、センサ素子１２の光電変換出力、その信号処理出力を含む入出力信号インターフェース用として用いるものである。
【００２０】
例えば、図１（Ｂ）では、レンズ体１０及びセンサ基板１１が、筐体７に保持され、センサ基板１１が読取対象物１に対して、導光体２と同じ側に配置されたものを例示している。つまり、導光体２から出射した光が読取対象物１で反射した反射光をレンズ体１０が収束したものを例示している。もちろん、本願は、導光体２から出射した光が読取対象物１を透過した透過光をレンズ体１０が収束する画像読取装置でも適用可能である。すなわち、レンズ体１０及びセンサ基板１１を保持する第２筐体（図示は省略）を備え、第２筐体と筐体７（第１筐体７）との間に読取対象物１（搬送路）を挟んで、第２筐体と筐体７（第１筐体７）とを配置すればよい。この場合、給電線路５ａ（フレキシブル基板５ａ）は、筐体７（第１筐体７）に収納された光源基板５から、第２筐体のセンサ基板１１へ接続してもよいし、筐体７（第１筐体７）側の光源制御基板１１へ接続してもよい。
【００２１】
実施の形態１に係る照明装置又は画像読取装置（筐体７）と照射対象物１（読取対象物１）との間に天板（カバーガラス）は図示していないが、実施の形態１に係る照明装置又は画像読取装置が組み込まれる先の製品側で、天板を用意すればよい。もちろん、実施の形態１に係る照明装置又は画像読取装置は、筐体７へ直接的に天板を設けることができる構造であってもよい。つまり、実施の形態１に係る照明装置又は画像読取装置は、天板の有無に関わらず、支持部６（支持部側凹凸部８）によって、導光体ホルダ部３（導光体ホルダ４）が、摺動する方向が長手方向に規制されておればよい。
【００２２】
図１から図８において、導光体ホルダ部側凹凸部９は、導光体ホルダ部側溝部９ａ又は導光体ホルダ部側突起部９ｂの少なくとも一方であればよい。図２から図８では、導光体ホルダ部側凹凸部９が導光体ホルダ部側突起部９ｂの場合を図示している。同じく、支持部側凹凸部８は、支持部側溝部８ａの場合を図示している。この場合の支持部側溝部８ａは、支持部６を貫通した開口を例示しているが、筐体７側を閉塞させたものでもよい。閉塞した窪み状の支持部側溝部８ａは後述する図９（Ｆ）のような構造（形状）が考えられる。図２から図８では、支持部６は、支持部側凹凸部８が対向して二つ形成され、二つの支持部側凹凸部８の間に、導光体ホルダ部３（少なくとも、導光体ホルダ部側凹凸部９の部分）が配置されたものを図示している。同じく、導光体ホルダ部３は、導光体ホルダ部側凹凸部９が対向して二つ形成され、二つの導光体ホルダ部側凹凸部９の間に、孔部４ａ（開口部４ｂ）が配置されたものを図示している。
【００２３】
図２から図８において、孔部４ａ（開口部４ｂ）は、二つの導光体ホルダ部側凹凸部９の間を結ぶ仮想線上に配置されている。孔部４ａ（開口部４ｂ）は、必ずしも二つの導光体ホルダ部側凹凸部９の間を結ぶ仮想線上に配置しなくてもよいが、仮想線から孔部４ａ（開口部４ｂ）をずらして配置すると、導光体ホルダ部３が大型化する場合がある。換言すると、仮想線上に沿って、孔部４ａ（開口部４ｂ）を配置すると、導光体ホルダ部３が小型化できる場合がある。また、支持部側凹凸部８又は導光体ホルダ部側凹凸部９の少なくとも一方は、筐体７と接触している。詳しくは、長手方向における導光体２側の支持部側凹凸部８又は導光体ホルダ部側凹凸部９の端部が筐体７と接触している。
【００２４】
図１から図３を用いて、さらに詳細に実施の形態１に係る照明装置及び画像読取装置を説明する。実施の形態１に係る照明装置は、導光体２、導光体ホルダ部３、支持部６、筐体７を有するものである。図１（Ａ）に記載の副走査方向における断面図は、実施の形態１に係る照明装置である。図１（Ａ）には光源制御基板１１も図示している。実施の形態１に係る画像読取装置は、導光体２、導光体ホルダ部３、支持部６、筐体７に加え、レンズ体１０及びセンサ基板１１（光源制御基板１１）を有するものであるから、図１（Ｂ）において、レンズ体１０及びセンサ基板１１以外が実施の形態１に係る照明装置といえる。実施の形態１に係る照明装置は、光源制御基板１１としてのセンサ基板１１を備えていてもよい。簡略化のため、図２以降は、照明装置のみの図は省略し、画像読取装置を主体に図示している。
【００２５】
導光体２に形成された光散乱パターン２ｃは、長手方向に延在し、導光体２の表面に形成された凹凸形状のもの、例えば、微細な凹凸面やエンボス面である。また、導光体２に形成された光散乱パターン２ｃは、長手方向に沿って導光体２の表面に形成された白色の塗料などでもよい。例えば、シルク印刷などがある。これらのような光散乱パターン２ｃは、導光体２の内部を伝搬（導光）している光を反射、散乱させて、側面２ｂから線状の光が照射対象物１（読取対象物１）へ照射させるものである。なお、導光体２は、端面２ａから入射した光を反射または屈折させることで光の伝搬方向を変えて、導光体２の内部を長手方向へ伝搬（導光）させるものである。
【００２６】
図２は、画像読取装置の斜視図及び一部拡大図である。図３は、画像読取装置の導光体ホルダ部３及び導光体２の分解斜視図である。図示するように、センサ基板１１は、センサ基板１１の周縁に形成されたネジ穴を介して挿入されたネジ１３によって筐体７に固定されるものである。
【００２７】
弾性体１４は、長手方向において導光体ホルダ部３と支持部６との間に配置され、長手方向における導光体ホルダ部３の摺動範囲を規制するものである。導光体２の周囲の温度が変化すると、導光体２と各構成部品との線膨張差により、導光体２と各構成部品との相対位置が変化する。画像読取装置や画像読取装置用の照明装置は、光源と導光体２の位置関係が性能に大きな影響を与えるため、高さ方向では導光体２を固定し、導光体２の長手方向の寸法変化を許容する必要がある。弾性体１４を用いれば、導光体２が膨張や縮小によって長手方向の長さが変わった場合でも、膨張や縮小に応じて弾性体１４が変形するので、導光体２を固定することができる。弾性体１４を導光体ホルダ部３の一部として、導光体ホルダ部側凹凸部を導光体挿入部４、光源基板５、弾性体１４の少なくともいずれか一つに形成してもよい。
【００２８】
筐体７は、二つの支持部側凹凸部８が対向している対向方向（短手方向）と長手方向とが交差する仮想面に直交する方向である高さ方向に沿って、窪んだ凹部１５に、少なくとも導光体ホルダ部３及び支持部６（又は導光体ホルダ部３のみ）を支持又は収納することになる。係合部１６は、高さ方向に沿って形成され、導光体ホルダ部３が配置された側と反対側において支持部６から張り出し、凹部１５と接触しているものである。係合部１６を有する支持部６は、短手方向に延びる面の両方の短手方向の端部からそれぞれ長手方向に延びる面を有しており、その端部に係合部１６があり、係合部１６は短手方向に延びる面であるといえる。つまり、支持部６の形状は、長手方向と短手方向とが交差する断面で、角ばったＣ字状のＣの曲線の端部が、それぞれ外側に折れ曲がった形状となっている。換言すると、支持部６の形状は、長手方向と短手方向とが交差する断面で、角ばったΩのような形状となっている。
【００２９】
本願では、導光体２の両方の端部（端面）に導光体ホルダ部２を有するものを例示している。また、一方の導光体２の端部（端面）側には支持部６が設けられ（図２の部分Ａ）、他方の導光体２の端部（端面）側には支持部６がないもの（図２の部分Ｂ）を例示しているが、導光体２の両方の端部（端面）側に支持部６を設けてもよい。さらに、本願では、導光体２の両方の端部（端面）に光源基板５（光源）を備えている場合を例示しているが、一方だけでもよい。つまり、一方の導光体ホルダ部３は少なくとも孔部４ａを備えておればよく、光源基板５がなくてもよい。もちろん、この光源基板５がない導光体ホルダ部３側に支持部６を配置してもよい。
【００３０】
つまり、実施の形態１に係る照明装置及び画像読取装置は、長手方向に延在し、外部から入射した光を導光して側面から線状の光として出射する棒状の導光体２と、導光体２の端面が挿入された孔部４ａを有する導光体ホルダ部３（導光体ホルダ４）と、導光体ホルダ部３（導光体ホルダ４）を長手方向に沿って摺動可能に支持する支持部６と、導光体２、導光体ホルダ部３（導光体ホルダ４）及び支持部６を支持又は収納し、少なくとも支持部６が固定された筐体とを備え、導光体ホルダ部３（導光体ホルダ４）は、長手方向に沿って少なくとも一方が支持部６に形成された支持部側溝部８ａ又は支持部側突起部８ｂである支持部側凹凸部８によって、摺動する方向が長手方向に規制されることを特徴としているといえる。
【００３１】
図４から図８を用いて、実施の形態１に係る照明装置及び画像読取装置の構成に加えて、実施の形態１に係る照明装置及び画像読取装置の組み立て方法を説明する。図４に示す一点鎖線の矢印方向でレンズ体１０を筐体７のレンズ体支持孔１７に挿入する。レンズ体支持孔１７は、例えば、図１（Ｂ）に示すようにレンズ体１０を支持しつつ、レンズ体１０が収束した光がセンサ素子１２上に結像できるように、読取対象物１側からセンサ基板１１側までを連通した孔となっている。レンズ体支持孔１７は、レンズ体１０が挿入されて固定されることで閉塞するので、センサ素子１２の防塵構造に寄与する。なお、レンズ体１０のレンズ体支持孔１７への固定は、例えば樹脂を充填（塗布）して行えばよい。この充填（塗布）には、黒色の樹脂が好適で不不要光の遮光に寄与する。なお、筐体７には、レンズ体支持孔１７の短手方向の前後に導光体２が収納させる窪みも形成されている。
【００３２】
図５は、導光体ホルダ部３と支持部６との組み立て前の位置関係を示す図である。図５に示す一点鎖線の矢印方向で導光体ホルダ部３の導光体ホルダ部側突起部９ｂ（導光体ホルダ部側凹凸部９）を支持部６の支持部側溝部８ａ（支持部側凹凸部８）へ挿入する。支持部側溝部８ａは、支持部６の短手方向に延びる面の両方の短手方向の端部からそれぞれ長手方向に延びる面に形成されている。支持部側凹凸部８と導光体ホルダ部側凹凸部９との関係は、常に接触している必要はなく、導光体ホルダ部３が摺動できる方向が長手方向に規制できればよい。そのため、支持部側凹凸部８と導光体ホルダ部側凹凸部９とが、ある程度は、がたついてもよい。もちろん、常に、支持部側凹凸部８と導光体ホルダ部側凹凸部９とが接触するようにしてもよい。この場合、支持部側凹凸部８と導光体ホルダ部側凹凸部９とは、支持部側接触部８と導光体ホルダ部側接触部９といえる。図６は、導光体２、導光体ホルダ部３、支持部６の組み立て前の位置関係を示す図である。図５で説明した状態に加え、図６に示す一点鎖線の矢印方向で導光体２を導光体ホルダ部３に挿入する。
【００３３】
図７に示す一点鎖線の矢印方向で図５及び図６で組み立て方法を説明した導光体２、導光体ホルダ部３、支持部６を筐体７に挿入する。支持部６は、二つの支持部側凹凸部８が対向している対向方向と長手方向とが交差する仮想面において導光体ホルダ部３を露出させて、導光体ホルダ部３を支持することになるので、画像読取装置（照明装置）の高さ方向の寸法の大型化を避けることができる（図２の部分Ａ参照）。なお、筐体７の凹部１５の一部には、給電線路５ａを筐体７のセンサ基板１１側に通す孔が形成されている。図８は、孔を通して筐体７のセンサ基板１１側に引き出された給電線路５ａを示している。
【００３４】
係合部１６のみを孔部１５に接触させながら、孔部１５に支持部６を挿入することで、支持部６の挿入が容易となる。また、挿入後に係合部１６があることで、支持部６と筐体７との間にＣ字状の高さ方向にだけ開口した空間（開口の場合の支持部側溝部８ａを除く）が生じるため、挿入後に支持部６を樹脂で筐体７に固定する際にこの空間に樹脂を充填（塗布）すれば、導光体ホルダ部３側には樹脂が回り込みにくい。このようにすることで、導光体ホルダ部３の長手方向の摺動は容易に維持することができる。給電線路５ａを筐体７のセンサ基板１１側に通す孔にも樹脂が流れ込みにくい。もちろん、支持部側溝部８ａが支持部６を貫通した開口の場合は、開口の高さ以下の量の樹脂によって、支持部６を筐体７に固定する必要ある。
【００３５】
図８は、センサ基板１１のネジ１３による筐体７への取り付け前を示しているが、給電線路５ａを引き出す前に、先にセンサ基板１１を筐体７に取り付けてもよい。最終的に、センサ基板１１（光源制御基板１１）に形成されたコネクタ１８と給電線路５ａと接続すればよい。コネクタ１８は、センサ基板１１のセンサ素子１２が形成された面と反対面に形成されているものを例示している。図示しているように、センサ基板１１の長手方向の長さが筐体７よりも短いものを使用すると、コネクタ１８と給電線路５ａとの接続構造をコンパクトにすることが容易である。
【００３６】
実施の形態１に係る照明装置及び画像読取装置は、支持部６によって導光体ホルダ部３が長手方向に可動する。そして、支持部６によって導光体ホルダ部は高さ方向を固定（移動を制限する場合も含む）することで、導光体２が長手方向に可動しつつも、高さ方向には動かない（移動を制限する場合も含む）構造にすることができる。なお、移動を制限する場合とは、導光体ホルダ部３が導光体２の高さ方向を固定していることで、その固定されている部分、すなわち、導光体ホルダ部３と接触している部分において導光体２は、長手方向の移動が固定されている場合という意味である。
【００３７】
実施の形態２．
実施の形態２に係る照明装置及び画像読取装置について、図９を用いて説明する。実施の形態１と共通の部分は説明を省略する場合がある。図９（Ａ）から図９（Ｅ）は実施の形態２に係る照明装置及び画像読取装置の支持部及び導光体ホルダ部の副走査方向に沿った面での断面簡略図である。図９（Ｆ）は実施の形態１に係る照明装置及び画像読取装置の支持部及び導光体ホルダ部の副走査方向に沿った面での断面簡略図で、構造の比較のため記載している。図９（Ａ）から図９（Ｆ）は、短手方向と高さ方向とが交差する断面を示している。導光体ホルダ部３は、導光体挿入部４、光源基板５、弾性体１４のいずれかを示している。よって、導光体挿入部４の断面の場合は孔部４が省略された状態の断面簡略図となり、光源基板５の断面の場合は基板の構成が省略された状態の断面簡略図となる。図中、同一符号は、同一又は相当部分を示しそれらについての詳細な説明は省略する。
【００３８】
実施の形態１に係る照明装置及び画像読取装置は、二つの支持部側凹凸部８（支持部側接触部８）が、支持部側溝部８ａで、二つの導光体ホルダ部側凹凸部９（導光体ホルダ部側接触部９）が、導光体ホルダ部側突起部９ｂの場合であった。しかし、前述の通り、支持部側凹凸部８（支持部側接触部８）及び導光体ホルダ部側凹凸部９（導光体ホルダ部側接触部９）には、支持部側突起部８ｂ、導光体ホルダ部側溝部９ａを使用してもよい。
【００３９】
図９（Ａ）は、二つの支持部側凹凸部８（支持部側接触部８）が、支持部側突起部８ｂで、二つの導光体ホルダ部側凹凸部９（導光体ホルダ部側接触部９）が、導光体ホルダ部側溝部９ａの場合である。この場合は、導光体ホルダ部側溝部９ａが支持部側突起部８ｂに挿入されるといえる。図９（Ｂ）は、図９（Ａ）と図９（Ｆ）を片方ずつ採用した場合である。
【００４０】
図９（Ｃ）は、二つの支持部側凹凸部８（支持部側接触部８）が、支持部側溝部８ａで、二つの導光体ホルダ部側凹凸部９（導光体ホルダ部側接触部９）が、導光体ホルダ部側突起部９ｂの場合で、実施の形態１（図９（Ｆ））と同様である。相違点は、導光体ホルダ部側突起部９ｂが導光体ホルダ部３の短手方向の端部全体であることである。このようにすると、支持部６が大きくなる可能性はあるが、導光体ホルダ部３の形状は従来のものでも利用可能となる。なお、この場合の導光体ホルダ部側突起部９ｂも、便宜上、導光体ホルダ部側凹凸部９に含まれるとする。
【００４１】
図９（Ｄ）は、二つの支持部側凹凸部８（支持部側接触部８）が、支持部側突起部８ｂで、二つの導光体ホルダ部側凹凸部９（導光体ホルダ部側接触部９）が、導光体ホルダ部側溝部９ａの場合で、図９（Ａ）と同様である。相違点は、支持部側突起部８ｂが導光体支持部６の短手方向の端部全体であることである。なお、この場合の支持部側突起部８ｂも、便宜上、支持部側凹凸部８に含まれるとする。図９（Ｅ）は、図９（Ｃ）と図９（Ｄ）を片方ずつ採用した場合である。
【００４２】
実施の形態１及び２に係る照明装置及び画像読取装置では、弾性体１４を用いてよいとしているが、弾性体１４の配置に関しても他の選択肢がある。実施の形態１及び２の説明で使用した図は、弾性体１４が光源基板５と支持部６との間にある場合を図示している。この他にも、弾性体１４は、導光体挿入部４と光源基板５との間に配置してもよいし、筐体７と導光体挿入部４との間に配置してもよい。
【００４３】
前者の場合は、弾性体１４を光源からの光が通過できる構造とする必要がある。例えば、光が通過する孔がある構造などが考えられる。後者の場合は、弾性体１４に導光体挿入部４が導光体２を保持することを妨げない構造とする必要がある。例えば、導光体２が貫通した孔がある構造などが考えられる。なお、弾性体１４と光源基板５とを接触させる場合は、弾性体１４に熱伝導効率の良い材料を使用することで光源基板５の放熱に寄与することができる。もちろん、支持部６に熱伝導効率の良い材料を使用してもよい。支持部側突起部８ｂ又は導光体ホルダ部側突起部９ｂの少なくとも一方に、弾性のある部材を使用して、支持部側突起部８ｂ自体又は導光体ホルダ部側突起部９ｂ自体を弾性体１４としてもよい。また、支持部６の短手方向に延びる面、又は、係合部１６の少なくとも一方に、弾性のある部材を使用して、支持部６の短手方向に延びる面自体、又は、係合部１６自体を弾性体１４としてもよい。
【００４４】
また、実施の形態１及び２に係る照明装置及び画像読取装置では、支持部６を筐体７の凹部１５に挿入して固定しているものを例示しているが、支持部６が固定され、導光体ホルダ部３が摺動可能であれば、凹部１５を用いなくてもよい。例えば、支持部６から高さ方向に筐体７側に伸びる突起を形成して、この突起を筐体７の孔に挿入して固定するなどが考えられる。突起にはいわゆるスナップフィットが好適である。この場合は、係合部１６は必須ではない。もちろん、突起（スナップフィット）を係合部１６と称してもよい。
【００４５】
実施の形態１及び２に係る照明装置及び画像読取装置は、導光体ホルダの構造を簡略化しつつ、照明装置（画像読取装置）のカバーガラスの有無に関わらず、導光体ホルダの支持を確実にすることができる。
【符号の説明】
【００４６】
１  照射対象物（読取対象物）、２  導光体、２ａ  端面、２ｂ  側面、
２ｃ  散乱パターン、３  導光体ホルダ部、４  導光体挿入部（導光体ホルダ）、
４ａ  孔部、４ｂ  開口部、５  光源基板、
５ａ  給電線路（ケーブル、フレキシブル基板）、６  支持部、７  筐体（第１筐体）、
８  支持部側凹凸部（支持部側接触部）、８ａ  支持部側溝部、
８ｂ  支持部側突起部、９  導光体ホルダ部側凹凸部（導光体ホルダ部側接触部）、
９ａ  導光体ホルダ部側溝部、９ｂ  導光体ホルダ部側突起部、
１０  レンズ体（ロッドレンズアレイ）
１１  センサ基板（光源制御基板、信号処理基板）、
１２  センサ素子（センサ素子アレイ）、１３  ネジ、１４  弾性体  １５  凹部
１６  係合部、１７  レンズ体支持孔  １８  コネクタ。
【要約】
照明装置及び画像読取装置は、長手方向に延在し、外部から入射した光を導光して側面（２ｂ）から線状の光として出射する棒状の導光体（２）と、導光体（２）の端面（２ａ）が挿入された孔部（４ａ）を有する導光体ホルダ部（３）と、導光体ホルダ部（３）を長手方向に沿って摺動可能に支持する支持部（６）と、導光体（２）、導光体ホルダ部（４）及び支持部（６）を支持又は収納し、少なくとも支持部（６）が固定された筐体（７）とを備え、導光体ホルダ部（３）は、長手方向に沿って少なくとも一方が支持部（６）に形成された支持部側溝部（８ａ）又は支持部側突起部（８ｂ）である支持部側凹凸部（８）によって、摺動する方向が長手方向に規制されることを特徴とする。【図１】
0006735958.tif 000002
【図２】
0006735958.tif 000003
【図３】
0006735958.tif 000004
【図４】
0006735958.tif 000005
【図５】
0006735958.tif 000006
【図６】
0006735958.tif 000007
【図７】
0006735958.tif 000008
【図８】
0006735958.tif 000009
【図９】
0006735958.tif 000010